(57)【要約】      （修正有）【課題】外部からの操作で、簡単にプッシュ・プル仕様から片面的仕様態様に切り替えることができるプッシュ・プル錠の提供。【解決手段】作動片５５を含むラッチ３０の係止解除機構と、作動片５５と係合する摺動体４６、４７と、摺動体をハンドルの操作力によりかつバネ力に抗して移動させることができるように錠箱６内に位置する押圧片２８，２９と、錠箱の前板７の開口１４を基準にして前板の裏側に支持体１５を介して回転自在に設けられ、かつ、摺動体の一端部側に係合する可動体４０とを備え、仕様態様の切り替え時、可動体を外部操作により所定量回転すると、摺動体の他端部に形成した受け部分４７bが位置変位し、押圧片が所定方向に移動しても作動片を押圧することができない「空振り状態」となり、片面的仕様態様に切り替わるよう構成した。【選択図】図１
2007162297.tif 000002
【特許請求の範囲】
【請求項１】
ラッチを解錠状態にするための作動片を含むラッチの係止解除機構と、前記作動片と係合する摺動体と、該摺動体をハンドルの操作力により、かつ、バネのバネ力に抗して移動させることができるように錠箱内に位置する押圧片と、錠箱の前板の開口を基準にして該前板の裏側に支持体を介して回転自在に設けられ、かつ、前記摺動体の一端部側に係合する可動体とを備え、仕様態様の切り替え時、前記可動体を外部操作により所定量回転すると、前記摺動体の他端部に形成した押圧片用受け部分が位置変位し、前記押圧片は所定方向に移動しても前記作動片を押圧することができない「空振り状態」となり、本来的なプッシュ・プル仕様から片面的仕様態様に切り替わることを特徴とするプシュ・プル錠。
【請求項２】
請求項１に於いて、摺動体の一端部側は、バネを内装する筒状部であり、一方、該筒状部の端面中央部に突出形成された他端部側の受け部分は、押圧片空振り用の切断面を有していることを特徴とするプシュ・プル錠。
【請求項３】
請求項１に於いて、摺動体は、付勢手段の付勢力に抗して移動する他の摺動体内に移動自在に設けられていることを特徴とするプシュ・プル錠。
【請求項４】
請求項１に於いて、可動体には、外端面から内部へと専用の操作具を差し込むことができる挿入溝が形成されていることを特徴とするプシュ・プル錠。
【請求項５】
請求項４に於いて、専用の操作具は、磁性体であり、一方、可動体の外端部分の外端面は、前記操作具に吸着し得ることを特徴とするプシュ・プル錠。
【発明の詳細な説明】
【技術分野】
【０００１】
本発明は、プシュ・プル錠に関し、特に、所望するハンドルを本来的なプッシュ・プル仕様から片面的仕様態様に切り替（切り換）えることができるプシュ・プル錠に関する。
【背景技術】
【０００２】
特許文献１、特許文献２には、「扉の取付け場所（例えばドアクローザが必要ない室内扉）を考慮し、ユーザーが錠箱の前板から見える可動体の操作部を操作すると、プッシュ・プル仕様から片面的仕様（プル仕様、又はプッシュ仕様）へと切り替るプッシュ・プル錠の具体的構成」が開示されている。
【０００３】
これらの発明は、例えばトイレ、寝室等の室内扉の操作ハンドルをプッシュして当該室内側（向こう側）へ勢い良くプッシュして開扉する場合、また、勝手口の扉を室内側の操作ハンドルを操作して室外側へとプッシュして開扉する場合に於いて、ドアクローザが建具に取付けられていないときに有益である。
【０００４】
その理由は、プッシュ・プル仕様から片面的仕様（例えばプル仕様）に切り替えると、扉を開ける場合には、一旦手前側にプル操作して扉を開ける必要があるから、扉を向こう側或いは室外側へ勢い良く開扉する事態（お年より等がバランスを崩すこと）を極力防ぐことができるからである。
【特許文献１】特開２００４−２１１５２９号公報
【特許文献２】特開２００４−２２５３８４号公報
【発明の開示】
【発明が解決しようとする課題】
【０００５】
本発明の第１の目的は、エンドユーザーが、所望するハンドル（例えば内側のハンドル）を本来的なプッシュ・プル仕様から片面的仕様態様に切り替えたい場合に、外部から可動体を操作して、簡単にプッシュ・プル仕様から片面的仕様（プル仕様、又はプッシュ仕様）に切り替えることができることである。第２の目的は、外部から可動体を回転操作すると、片方のハンドルの操作力が空転状態となり、錠前の作動片に操作力が伝わらないようにすることである。具体的には、内側ハンドルの押圧片がラッチの係止解除機構を構成する作動片（直接又は間接的にラッチを仮に施・解錠する施錠片）と係合する一つの摺動体に対して、「空振り状態」になることである。第３の目的は、例えば子供に悪戯され、簡単に仕様が切り替らないことである。
【課題を解決するための手段】
【０００６】
本発明のプシュ・プル錠は、ラッチを解錠状態にするための作動片を含むラッチの係止解除機構と、前記作動片と係合する摺動体と、該摺動体をハンドルの操作力により、かつ、バネのバネ力に抗して移動させることができるように錠箱内に位置する押圧片と、錠箱の前板の開口を基準にして該前板の裏側に支持体を介して回転自在に設けられ、かつ、前記摺動体の一端部側に係合する可動体とを備え、仕様態様の切り替え時、前記可動体を外部操作により所定量回転すると、前記摺動体の他端部に形成した押圧片用受け部分が位置変位し、前記押圧片は所定方向に移動しても前記作動片を押圧することができない「空振り状態」となり、本来的なプッシュ・プル仕様から片面的仕様態様に切り替わることを特徴とする。
【０００７】
上記構成に於いて、摺動体の一端部側は、バネを内装する筒状部であり、一方、該筒状部の端面中央部に突出形成された他端部の受け部分は、押圧片空振り用切断面を有していることを特徴とする。また、摺動体は、付勢手段の付勢力に抗して移動する他の摺動体内に移動自在に設けられていることを特徴とする。さらに、可動体には、外端面から内部へと専用の操作具を差し込むことができる挿入溝が形成され、又は、前記専用操作具は、磁性体であり、一方、可動体の外端部分の外端面は、前記操作具に吸着し得ることを特徴とする。
【発明の効果】
【０００８】
以上の説明から明らかなように、本発明にあっては、次に列挙するような効果がある。
（１）エンドユーザーが、所望するハンドル（例えば内側のハンドル）を本来的なプッシュ・プル仕様から片面的仕様態様に切り替えたい場合に、外部から可動体を操作して、簡単にプッシュ・プル仕様から片面的仕様（プル仕様、又はプッシュ仕様）に切り替えることができる。
（２）請求項２に記載の発明は、ハンドル側の押圧片に対して従動部材であり、かつ、ラッチ仮施錠用の作動片に対して係合する一つの摺動体の形態を工夫することにより、外部から可動体を回転操作すると、ハンドル側の一つの押圧片が一つの摺動体（外面柱状の摺動体）に対して「空振り状態」になるので、ラッチの係止解除機構を構成する作動片（直接又は間接的にラッチを仮に施・解錠する施錠片）が全く作用しない。一方、前記一つの押圧片は他の摺動体（外枠状の摺動体）に対してはそのまま押圧機能を発揮する。したがって、ハンドルの操作態様を規制しなくても、プシュ・プル錠を構成する一つの摺動体の受け部分の位置を変位するだけで、前（１）の目的を達成することができる。
（３）専用の操作具を用いる実施例の場合には、例えば子供に悪戯され、簡単に仕様が切り替らない。
【発明を実施するための最良の形態】
【０００９】
まず、本発明の一実施例を説明する。なお、本発明の実施例の説明に当たって、特許文献１に記載の発明と同一の部分には、同一又は同様の符号を付する。本発明の実施例が特許文献１（公知例）と主に異なる点は、従来の仕様変替手段は、操作部としての嵌合突起が前板の開口に回転自在に設けられたボタン式回転体であるのに対して、本実施例の仕様変替手段は、前板の裏面に固定される筒状支持体と、この筒状支持体内に回転自在に設けられ、かつ、操作具によって所定位置へと回転する可動体と、該可動体と嵌合状態で係合すると共に、ハンドル側の押圧片に対して従動部材であり、かつ、ラッチ仮施錠用の作動片に対して係合する摺動体の「三物品」から成る。以下、本発明の構成を詳細に説明する。
【００１０】
（ａ）一実施例
図１乃至図１１を参照にして、本発明の一実施例を説明する。まず、図１は発明を構成する環境全体を示す。この図１に於いて、Ｘは錠箱の上部側空間に配設されたラッチの係止解除機構、Ｙは錠箱の下部側空間に配設されたサムターン錠の締め出し防止機構、１は戸枠、２は受け金具、３は受け金具の縁、４は扉、５は扉の自由端部内に設けた錠前（プッシュ・プル錠）、６は錠箱、７は錠箱の前板、８はラッチ枠部である。
【００１１】
なお、錠箱６内は、開扉の時に不注意によりラッチを施錠した状態で扉を閉めた時にラッチの施錠状態が自動的に解錠状態となるサムターン錠の締め出し防止装置Ｙとが設けられている。
【００１２】
（ｂ）図２−錠箱６
次に、図２は錠箱６の構成を示す。また、図３はラッチ枠部８、ラッチ３０、ラッチ作動杆３３等を示す。これら図２、図３に於いて、６ａはケース身、６ｂはケース蓋、７は前板（裏板７ａとフロント７ｂ）、８はラッチ枠部、９は前板７の中央部に形成されたラッチ用開口窓である。
【００１３】
前記ラッチ枠部８は、図３で示すように、上壁８ａと、下壁８ｂ、後壁８ｃとを有する端面コ字型形状である。そして、前記上壁８ａにはラッチの係止解除機構Ｘを構成する第１の作動片（ラッチ用の第１仮施錠片）用の第１受入れ孔１０が形成され、一方、下壁８ｂには、不番の第２施錠片用の第２受入れ孔１１が形成されている。
【００１４】
また、第１・第２受入れ孔１０，１１は、開口窓９側から前記後壁８ｃに向かって形成された水平長孔である。またラッチ枠部８の後壁８ｃの一側壁には、上下方向の一部に作動杆３３用の切欠部１２が形成されている。
【００１５】
図２に戻って、１４は前板７に形成された可動体４０用開口で、この開口１４の後方には、前板７の裏面に対して、或いは錠箱の内壁面に対して、「固定部材としての筒状支持体１５」が設けられている。
【００１６】
また、１６は前記筒状支持体１５を基準にして上下に設けられた第１摺動体用上方水平案内部、一方、１７は錠箱６の下方隅角部に形成されたサムターンダルマ用軸孔１８を基準にして上下かつオフセット状態に設けられたリリーススライダー用の下方水平案内部である。
【００１７】
また、１８はサムターンダルマ用軸孔、２０は錠箱６の上部側に形成された操作ハンドルに連動する、或いは操作ハンドルの水平軸に一体的に固定された押圧片２８，２９用の矩形状窓孔である。
【００１８】
さらに、錠箱６には固定軸が複数個配設されている。固定軸を上方から順番に説明すると、２１は第１固定軸、２２は第２固定軸、２３は第３固定軸、２４は第４固定軸、そして、２５は錠箱の底壁の中央部に設けられた第５固定軸である。
【００１９】
（ｃ）ラッチなど−図３
次に、図３に於いて、３０はラッチ、３０ａは開口縁３と摺接する衝止面、３０ｂ，３０ｂは回転軸機能、係合機能等を有する突起部、３０ｃ，３０ｃはラッチの後端部、３１は後端部に形成されバネ端収納部である。
【００２０】
また、３２はラッチバネで、この一端部３２ａは、ラッチの作動杆３３の端面Ｌ型状先端部３４に圧接し、一方、その他端部３２ｂはラッチ枠部８の後壁８ｃ内面に圧接する。
【００２１】
また、３３はラッチ作動杆、３４はラッチ作動杆の先端部、３４ａはラッチバネ３２の一端部３２ａを受けるバネ端支持壁、３４ｂは支持壁３４ａと交差する先端部一側壁、３５はラッチ枠部８の切欠部１２に案内される摺動壁である。
【００２２】
しかして、前記バネ端支持壁３４ａの内壁面と後端部の前壁面との間には、バネ収納空間３６が設けられている。また前記後端部には、その後壁面の上端部寄りの部位から底壁面に向かって傾斜状の係合面３７ａを有する係合切欠部３７が形成されている。
【００２３】
（ｄ）前板、支持体、可動体等−図４、図５等
次に、図４は主要部を構成する前板７、支持体（固定部材）１５、可動体（可動部材）４０、複数個の摺動体４６、４７、摺動体復帰用の複数個のバネ４８，４９などを示す。
【００２４】
まず、図４を参照にすると、１５は前板７の円形開口１４を基準にして、開口１４縁部の内壁面に固定された支持体である。本実施例では、筒状の支持体１５である。筒状支持体１５の大きさ及び形状は、各摺動体４６、４７の先端部の位置関係を考慮して適宜に設定される。
【００２５】
筒状支持体１５は、図５で示すように、所定長さの収納部１５ａと、この収納部１５ａの先端部に周設したフランジ部１５ｂとを有し、前記フランジ部１５ｂの先端面（外端面）は、前述したように、開口１４を取り囲むように前板７の裏側（例えば裏面）に複数個の固着具１５ｃを介して固定される。
【００２６】
一方、可動体４０は、筒状支持体１５の収納部１５ａに回転可能に内装される胴体部分４１と、この胴体部分４１の先端面の中央部に形成された突起軸状の外端部分（先端部分）４２と、胴体部分４１の後端部に突出形成され、かつ、外面円柱状の摺動体４７の一端部側（本実施例では先端部）の開口に嵌合状態で係合する複数個の係合突起４３とから成る。
【００２７】
ところで、本実施例の可動体４０は、例えば子供に悪戯され、簡単に仕様が切り替らないように、専用の操作具Ｋを介して所定量回転する。
【００２８】
そこで、可動体４０には、外端面から内部へと専用の操作具Ｋの先端部分を差し込むことができる挿入溝４４が形成されている。
【００２９】
図５及び図６で示すように、筒状支持体１５の収納部１５ａの適宜箇所に形成した装着小孔には、付勢部材４５が組み込まれている。付勢部材４５は、不番の止め具、クリックバネ、クリックボールから成り、前記クリックボールは、可動体４０の周壁に所定間隔を有して形成された複数個の小係合溝４１ａに選択的に係脱する。
【００３０】
ところで、前記操作具Ｋは、専用治具である旨を説明したが、専用の操作具Ｋが磁性体である場合には、可動体４０の外端部分の外端面は、前記操作具に吸着し得るように構成される。この点に関して付言すれば、例えば先端部分４２を操作具Ｋの極性に対応して吸着する磁石にするとか、或いは先端部分４２に金属板を固定するとか、或いはまた、可動体４０を吸着可能な金属で製作するとかである。もちろん、専用の操作具Ｋが磁性体である場合には、先端部分４２に挿入溝４４が形成する必要はない。
【００３１】
なお、操作具Ｋを可動体４０に差し込む際に、可動体４０が多少スライドする、しないに関らず、操作具Ｋを可動体４０の挿入溝４４に差し込むことができるように摺動体４６，４７用バネ４８，４９のバネ力が適宜に設定されている。
【００３２】
（ｅ）摺動体４６．４７など−図４、図８、図９など
次に、図４、図８、図９などを参照にすると、４６，４７は錠箱６の上方の収納空間に水平状態に配設された複数個の摺動体である。また、４８，４９は摺動体４６，４７用の複数個の復帰用バネである。さらに、２８、２９は、摺動体４６，４７を押圧するハンドル側の複数個の押圧片である。これらの部材は、図示しない内外ハンドルとの関係で複数個存在する。
【００３３】
ここでは、説明の便宜上、外枠の摺動体を第１摺動体４６、一方、第１摺動体内に組み込まれた外面円柱状の摺動体を第２摺動体４７とする。また、第１摺動体４６と錠箱６の後壁６ａとの間に配設した復帰用バネ４８を第１バネ、第２摺動体４７の筒状部に内装された復帰用バネ４９を第２バネとする。
【００３４】
さらに、外側の操作ハンドルに連動するあるいは一体的な部材を上方の押圧片２８とし、一方、内側の操作ハンドルに連動するあるいは一体的な部材を下方の押圧片２９とする（図１、図４参照）。上下の押圧片２８，２９は、錠箱６の窓部２０を介して該錠箱６内に位置する。
【００３５】
さて、まず、断面コ字形状に形成された外枠の第１摺動体４６は、特に図示しないが、複数個の係合突起を介して錠箱６の上方水平案内部１６に水平動自在に設けられている。
【００３６】
しかして、４６ａは上壁部、４６ｂは下壁部、４６ｃは上下壁部と直交する後壁部である。前記後壁部４６ｃの内壁面は前述した上下の押圧片４８，４９を受ける受け板の機能を有する。また、一方、後壁部４６ｃの外壁面は第１バネ４８を受ける受け板の機能を有する。また、前記上下の壁部４６ａ、４６ｂは、内装する第２摺動体４７を案内する機能を有する。さらに、前記下壁部４６ｂの一部には第１作動片５５の上端部が係合する切欠部５１が形成されている。
【００３７】
次に、内側の第２摺動体４７は、設計如何により横長のコ時型形状等に形成しても良いが、本実施例では、外面円柱状部分４７ａと、該外面円柱状部分の後端面に突出する切断部分４７ｂとから成る。
【００３８】
すなわち、図８、図９を参照にすると、第２摺動体４７の一端部側は、バネを内装する筒状部４７ａであり、一方、該筒状部４７ａの端面中央部には延設方向に略半分切断された受け部分４７ｂが突出形成されている。他端部の受け部分４７ｂは、図示するように切断された押圧片空振り用切断面を有している。
【００３９】
付言すると、前記受け部分４７ｂは、筒状部の端面中央部から水平方向に延びる細い半円柱状連設部分５２と、該細い連設部分５２に連設する太い半円柱状連設部分５３に区別することができる。
【００４０】
そして、受け部分４７ｂの太い半円柱状連設部分５３の前面５３ａは、図１で示すように第１作動片５５の上端部が係合し、一方、その後面５３ｂは、上下の押圧片２８、２９がそれぞれ押圧可能な状態に当たる。
【００４１】
さらに、内側の第２摺動体４７の筒状部４７ａは、先端面から軸方向に向かって第２バネ４９用の収納部５４が所要量形成されている。そして、前記収納部５４の内周面には、軸方向（長手方向）に可動体４０の係合部（係合突起）４３と係合する被係合部（係合溝）５４ａが複数本形成されている。
【００４２】
（ｆ）作動片５５など−図１
次に、図１を参照にして第１の作動片５５等について説明する。５５は第２固定軸２２に軸支された第１の作動片（本実施例では揺動レバー）である。この作動片５５の上方先端部は、第１及び第２摺動体４６，４７にそれぞれ係合している。
【００４３】
一方、上方先端部（アーム部）に連設する下方部分には不番のバネ受け部が形成されている。さらに、補足説明すると、上方先端部には不番の係合突起が設けられ、この係合突起は、ラッチ３０に直接係合する第２の作動片５６に係合している。第２の作動片５６は、長板状の係合片であり、その後端部は第１摺動体４６の後壁４６ｃの下端部に係合している。なお、ラッチ３０を仮に施・解錠するための第１の作動片５５及び第２の作動片５６は、固定軸２１、２２にそれぞれ軸支されていると共に、不番のバネで適宜に付勢されている。錠前の細部的事項の説明は割愛する。
【００４４】
（ｇ）作用−図１０、図１１
ここでは、本発明の主要部に関係がある作用を説明する。まず、図１０は可動体切り替え前（可動体４０の複数個の係合突起４３が垂直状態に位置している場合）において、内側ハンドルをプルした場合と、プッシュした場合の概略説明図である。この態様の場合、第２摺動体４７の受け部分４７ｂの太い半円柱状連設部分５３は手前に見える（切断面が垂直の意味）。
【００４５】
すなわち、前者（プル）の場合には、内側ハンドル用押圧片２９は、矢印Ａ方向へ移動するので、第１摺動体４６は第１バネ４８のバネ力に抗して押圧片２９に押され、矢印Ａ方向へ移動する。そうすると、第２作動片５６は時計方向へと回転する。
【００４６】
一方、後者（プッシュ）の場合には、内側ハンドル用押圧片２９は、矢印Ｂ方向へ移動するので、第２摺動体４７は第２バネ４９のバネ力に抗して押圧片２９に押され、矢印Ｂ方向へ移動する。そうすると、第１作動片５５は反時計方向へと回転する。
【００４７】
したがって、第２摺動体４７の受け部分４７ｂが垂直状態の場合には、第１作動片５５は第２摺動体４７を介してラッチの係止を解除する方向へと作動する。
【００４８】
これに対して、図１１は可動体を切り替え後（可動体４０の複数個の係合突起４３が水平状態に位置している場合）において、内側ハンドルをプルした場合と、プッシュした場合の概略説明図である。この態様の場合、第２摺動体４７の受け部分４７ｂの太い半円柱状連設部分５３はフラット面が手前に見えなくなる（切断面が下向きの意味）。
【００４９】
そこで、前者（プル）の場合には、内側ハンドル用押圧片２９は、矢印Ａ方向へ移動するので、第１摺動体４６は第１バネ４８のバネ力に抗して押圧片２９に押され、矢印Ａ方向へ移動する。そうすると、第２作動片５６は時計方向へと回転する。この点、図１０と全く同様である。
【００５０】
しかしながら、後者（プッシュ）の場合には、内側ハンドル用押圧片２９は、矢印Ｂ方向へ移動しても、第２摺動体４７の太い半円柱状連設部分５３の切断面が下向きなので、「空振り状態」になる。
【００５１】
したがって、第２摺動体４７は第２バネ４９のバネ力に抗して押圧片２９に押されることはないから、第１作動片５５は作動しない。つまり、錠前は片方（内側）のハンドルをプッシュしても何らの影響を受けない。
【００５２】
なお、図１０、図１１に於いて、外側ハンドル用の押圧片２８は、可動体の切り替え如何を問わず、各摺動体４６，４７を押圧することができる。
【実施例】
【００５３】
本発明は、複数個の摺動体４６，４７を備えた示すプシュ・プル錠（図１）に適用したが、このような構成のプシュ・プル錠に限定するものではない。
【００５４】
例えば、特に図示しないが、ハンドルをプル又はプッシュすると、錠箱内に突出するハンドル側の揺動片の駆動力により、かつ、付勢手段の付勢力に抗して水平移動する同調部材（摺動体）、この同調部材に連動するようにラッチロッドに案内される可動枠部材内に組み込まれた可動ストッパー（作動片）、この可動ストッパーを介して可動枠部材の規制を解消するラッチ用仮施錠の解錠機構を備えたプッシュ・プル錠にも、適宜に適用することができる（特許公開２００２−１２９７９６号公報記載の実施例参照）。
【図面の簡単な説明】
【００５５】
図１乃至図１１は、本発明の一実施例を示す各説明図。
【図１】扉の閉戸時における錠前の一例を示す概略説明図。
【図２】ケース身を主とした錠箱の説明図。
【図３】ラッチ、ラッチ枠部、作動杆等の説明図。
【図４】主要部の概略説明図。
【図５】支持体、可動体等の要部の分解斜視図。
【図６】支持体、可動体等の要部の概略説明図。
【図７】支持体、可動体等の要部の概略断面説明図。
【図８】主要部の分解斜視図。
【図９】主要部を組み合わせた状態の概略説明図。
【図１０】可動体切り替前において、内側ハンドルをプルした場合とプッシュした場合の概略説明図。
【図１１】可動体を切り替え後において、内側ハンドルをプルした場合とプッシュした場合の概略説明図である。
【符号の説明】
【００５６】
１…戸枠、２…受け金具、３…縁、４…扉、５…錠前（プッシュ・プル錠）、６…錠箱、７…前板、１４…開口、１５…支持体、２０…窓孔、２８，２９…押圧片、３０…ラッチ、４０…可動体、４２…外端部分、４３…係合部（係合突起）、４４…挿入溝（係合溝）、Ｋ…操作具、４６……第１摺動体、４７…第２摺動体、４７ａ…外面円柱状部分（筒状部）、４７ｂ…切断部分（受け部分）、４８…第１バネ、４９…第２バネ、５２…細い半円柱状連設部分、５３…太い半円柱状連設部分、５３ａ…前面、５３ｂ…後面、５４…収納部、５４ａ…被係合部（係合溝）、５５…第１作動片、５６…第２作動片。
【図１】
2007162297.tif 000003
【図２】
2007162297.tif 000004
【図３】
2007162297.tif 000005
【図４】
2007162297.tif 000006
【図５】
2007162297.tif 000007
【図６】
2007162297.tif 000008
【図７】
2007162297.tif 000009
【図８】
2007162297.tif 000010
【図９】
2007162297.tif 000011
【図１０】
2007162297.tif 000012
【図１１】
2007162297.tif 000013